(57)【特許請求の範囲】
【請求項１】
インナーフォーカスの機能を有したレンズ鏡筒において、前記レンズ鏡筒はスケールギヤ、スケールレバー、連動ギヤ、リング状板材、フォーカス用鏡室、フォーカス筒、フォーカス用カム筒、コロ、スラストリングを有し、
前記スケールギヤは前記連動ギヤに歯合し、
前記スケールレバーは前記スケールギヤに固設され、
前記リング状板材には放射方向に係合部Ａ及び光軸方向と平行に係合部Ｂが延出され、
前記フォーカス用鏡室の外周側の側面には前記係合部Ｂが係合する溝Ｂが穿設され、
前記フォーカス筒にはフォーカス用カム溝が貫通して穿設され、
前記フォーカス用カム筒には縦溝が穿設され、
前記スラストリングの内径側には前記係合部Ａが係合する溝Ａが穿設され、
前記フォーカス用鏡室は前記溝Ｂに前記係合部Ｂを係合させることにより前記リング状板材に保持されるように装着され、
前記フォーカス筒は前記フォーカス用鏡室の外周側に嵌合するように前記リング状板材に装着され、
前記コロは前記フォーカス筒上に穿設された前記フォーカス用カム溝に摺動可能であるように前記フォーカス用鏡室に嵌挿され、
前記フォーカス筒は前記フォーカス用カム筒に締結され、
前記スケールレバーは前記縦溝に嵌合され、
前記係合部Ａは前記溝Ａに係合し、
前記スケールギヤは前記連動ギヤの回転に伴って回転し、
前記縦溝に嵌合した前記スケールレバーは前記スケールギヤの回転に伴って前記スケールギヤと同方向に前記フォーカス用カム筒を回転させ、
前記フォーカス筒は前記フォーカス用カム筒の回転に伴って前記フォーカス用カム筒と同方向に回転し、
前記フォーカス用鏡室は前記フォーカス筒の回転に伴って移動し、合焦作動が行われ、
ただし前記係合部Ａと前記溝Ａとの摺動により前記フォーカス用鏡室の移動が光軸方向に規制される
ことを特徴とするレンズ鏡筒。
【発明の詳細な説明】
【０００１】
【発明の属する技術分野】
本発明は、ズーミングまたはフォーカシング調整を行う光学系を有するレンズ鏡筒、さらに詳しくはその光学系を直進移動させる構造を有するレンズ鏡筒に関するものである。
【０００２】
【従来の技術】
市場ではより高倍率でコンパクトなズームレンズ鏡筒が求められており、その結果、内部構造の集積度も高くなっている。そして、焦点調整および変倍操作を行うための光学ユニットの移動は、光学ユニットより延出する複数の係合コロおよび該光学ユニットに周設された円筒上に形成された係合溝により、該光学ユニットの保持、位置出し、駆動が行われてきた。
【０００３】
【発明が解決しようとする課題】
しかしながら、従来のように光学ユニットに周設された複数のコロにより駆動を行う方法であると、コロどうしが独立しているため、コロの相対関係にズレが生じ、その結果、光学ユニットの中心位置のずれや傾きが生じるなど光学性能に悪影響が生じることや、光学ユニットの作動時もひっかかりが生じるなど、作動にも悪影響が生じる問題があった。そこで、取付け精度を維持しながらも、コストのかからない光学素子の保持および駆動構造が求められてきた。
【０００４】
【課題を解決するための手段】
そこで本発明は、光学素子の保持部材および駆動のための係合部材を一体の構成とし、プレス加工等でも容易に加工できる構成することにより、前述の課題を解決した。
【０００５】
すなわち、ズーミングまたはフォーカシング調整を行う際、光学素子枠を直進移動させるレンズ鏡筒において、リング形状の板材に一体に形成された複数キー部を有するキー部材で該光学素子枠を保持するようにしたものである。
【０００６】
【実施例】
以下、本発明の実施例を、図面を用いて説明する。
【０００７】
図１は本発明を適用したレンズ鏡筒の断面図、図２はその要部を示す分解斜視図である。
【０００８】
図１に示したレンズ鏡筒は自動合焦一眼レフカメラに用いるレンズ鏡筒で、さらに詳しく言えば、合焦動作によりレンズ鏡筒の全長が変わらない、いわゆるインナーフォーカス式のズームレンズ鏡筒である。
【０００９】
図において、上側が無限遠時、下側が近距離時である。また、図面に対して左側が被写体側、右側がカメラ側を示している。
【００１０】
レンズ鏡筒の光学系は光学素子Ｌ１、Ｌ２、Ｌ３からなる第１群Ｇ１、レンズ素子Ｌ４、Ｌ５，Ｌ６，Ｌ７、Ｌ８からなる第２群Ｇ２、レンズ素子Ｌ９、Ｌ１０、Ｌ１１からなる第３群Ｇ３、光学素子Ｌ１２、Ｌ１３からなる第４群Ｇ４により構成され、変倍作用は第１群Ｇ１，第２群Ｇ２，第３群Ｇ３，第４群Ｇ４のそれぞれの位置が移動することにより行われる。合焦作用は第２群Ｇ２のみの位置変化により行われる。
【００１１】
変倍操作はズームリング２２を回転すると、不図示のカメラに対して固定された固定筒１１に対して、第１カム筒１２、第２カム筒１３、スラストリング１５、第３カム筒１４および１群筒１７が不図示のカム機構により相対変位し、１群筒１７に固設された１群鏡室１８、第２カム筒１３に固設されたフォーカス筒１６と一体的に移動する２群鏡室１９、固定筒１１に光軸方向に対して平行に形成された不図示の縦溝に移動可能に嵌合された３群コロ２６を介してスラストリング１５に締結されている３群鏡室２０、そして４群コロ２７に固設された４群鏡室２１が光軸方向に移動する。
【００１２】
次に図２の分解斜視図により、２群ユニット機構の構成を説明する。
【００１３】
２群鏡室１９に固設された２群板１０より放射方向に延出する３つの係合部１０ａ、１０ｂ、１０ｃが図１に示すスラストリング１５の内径側に、光軸方向に対して平行に形成された縦溝に光軸方向に移動可能に係合されている。
【００１４】
さらに該２群鏡室１９の外周にはフォーカス筒１６が移動可能に嵌合されており、該２群鏡室１９より延出するコロ１９ａ，１９ｂ，１９ｃがフォーカス筒１６上に形成されたフォーカスカム１６ａ，１６ｂ，１６ｃに係合している。そして、該フォーカス筒１６は第２カム筒１３に締結されている。
【００１５】
該第２カム筒１３には縦溝１３ａが形成されており、図１に示すスケールギヤ２３に固設されたスケールレバー２４に移動可能に嵌合されている。
【００１６】
自動合焦操作を行う場合、駆動機構を経て連動ギヤ２５が回転し、スケールギヤ２３を駆動する。これにより第２カム筒１３が回転する。スラストリング１５は変倍操作時を含めて回転動作は行われないため、係合部１０ａ，１０ｂ，１０ｃを介して、２群鏡室１９は回転不能に支持されるため、第２カム筒１３と締結されたフォーカス筒１６は回転し、２群鏡室１９と相対角度移動が生じ、光軸方向に移動することになる。これにより、合焦作動が行われる。
【００１７】
なお、本実施例では、２群板１０を中心から放射方向に延出する係合部１０ａ，１０ｂ，１０ｃで構成しているが、係合部を中心方向に延出させ、中心側に位置する円筒に係合させてもよいことはいうまでもない。
【００１８】
【発明の効果】
以上説明したように本発明の構成によれば、光学ユニットを簡単な構造で高精度に保持、駆動できるほか、わずかなスペースで鏡室と駆動側部材を係合させることができる。
【図面の簡単な説明】
【図１】本発明を適用したズームレンズ鏡筒の断面図である。
【図２】本発明の要部を示す分解斜視図である。
【符号の説明】
１０  ２群板
１０ａ，ｂ，ｃ  係合部
１１  固定筒
１２  第１カム筒
１３  第２カム筒
１３ａ  縦溝
１４  第３カム筒
１５  スラストリング
１６  フォーカス筒
１６ａ，ｂ，ｃ  フォーカスカム
１７  １群筒
１８  １群鏡室
１９  ２群鏡室
１９ａ，ｂ，ｃ  コロ
２０  ３群鏡室
２１  ４群鏡室
２２  ズームリング
２３  スケールギヤ
２４  スケールレバー
２５  連動ギヤ
２６  ３群コロ
２７  ４群コロ
【図１】
0004593726.tif 000002
【図２】
0004593726.tif 000003